(57)【特許請求の範囲】
【請求項１】
底面にプラグ接続金具を備えたブレーカモジュールを、分電盤の取付台に固定具で固定したブレーカモジュールの取付構造において、ブレーカモジュールのブレーカの端子部に、前記固定具の上面を覆いその取り外しを防止するカバーを、電線が接続されている状態では上方への回転が制限されて前記固定具を操作することができず、電線が接続されていない状態では上方へ回転させて前記固定具を操作することが可能となるように、回動自在に設けたことを特徴とするブレーカモジュールの取付構造。
【発明の詳細な説明】
【技術分野】
【０００１】
本発明は、分電盤へのプラグイン方式のブレーカモジュールの取付構造に関するものである。
【背景技術】
【０００２】
電線が接続される端子部を備えたブレーカを、底面にプラグ接続金具を備えたプラグインアダプタの上面に取り付けてブレーカモジュールを構成し、このブレーカモジュールを分電盤の母線バーに対してプラグイン方式で接続することは、特許文献１、２に示されるように公知である。特許文献１に示されるように、プラグインアダプタは底面のプラグ接続金具から延びる３相のリードバーを備えており、各接続バーの上端はブレーカの電源側端子部に接続されている。またこのほか、ブレーカ本体の底面にプラグ接続金具を突設した構造とし、プラグインアダプタを省略してブレーカ単体でブレーカモジュールを構成することも可能である。
【０００３】
このようなブレーカモジュールは分電盤への着脱が容易な利点があるが、誤って通電状態のまま母線バーからブレーカモジュールを取り外すおそれがある。このため特許文献２には、螺旋状の溝を備えた回転盤によるロック機構が開示されており、安易にブレーカモジュールを取り外すことができないようになっている。しかし特許文献２の取付構造は非常に複雑なロック機構を用いているため、製作コストが高くなるという問題があった。
【特許文献１】特開２００５−３２７６１５号公報
【特許文献２】特開２００４−３１９４２７号公報
【発明の開示】
【発明が解決しようとする課題】
【０００４】
本発明は上記した従来の問題点を解決し、構造が簡単であり、しかも通電状態のままのブレーカモジュールの取り外しを確実に防止することができる安全性に優れたブレーカモジュールの取付構造を提供することを目的とするものである。
【課題を解決するための手段】
【０００５】
上記の課題を解決するためになされた本発明は、底面にプラグ接続金具を備えたブレーカモジュールを、分電盤の取付台に固定具で固定したブレーカモジュールの取付構造において、ブレーカモジュールのブレーカの端子部に、前記固定具の上面を覆いその取り外しを防止するカバーを、電線が接続されている状態では上方への回転が制限されて前記固定具を操作することができず、電線が接続されていない状態では上方へ回転させて前記固定具を操作することが可能となるように、回動自在に設けたことを特徴とするものである。
【発明の効果】
【０００６】
本発明のブレーカモジュールの取付構造によれば、ブレーカの端子部に、電線が接続されている状態では固定具を操作することができず、電線が接続されていない状態では固定具を操作することが可能なカバーを設けたので、電線を取り外した状態すなわち非通電状態としなければ、ブレーカモジュールを分電盤の取付台から取り外すことができず、通電状態のままの取り外しを防止することができる。本発明の構造は複雑なロック機構を用いていないので、コストアップを招くことがない。
【０００７】
また、カバーは回動自在に支持されており、電線を接続した状態では上方への回転が制限される構造としたので、電線を外した後のカバーの開閉作業が容易なうえ、紛失するおそれがないものである。しかもカバーを閉めなければ電線と干渉する位置に仮保持可能としておけば、カバーの閉め忘れや取付け忘れを防ぐことができる。
【発明を実施するための最良の形態】
【０００８】
以下に本発明の好ましい実施形態を示す。
図１は分電盤の全体斜視図、図２はその部分拡大斜視図である。図１に示すように、分電盤の筐体１の内部上端には主幹ブレーカ２が設けられ、また筐体１の内部には３相の母線バー３が垂直に設けられている。カバー４に覆われて図示されていないが、各母線バー３の上端は主幹ブレーカ２の負荷側端子に接続されている。各母線バー３の上面には一定間隔で給電クリップ５が突設されており、分岐ブレーカであるブレーカモジュール６を母線バー３上の給電クリップ５のある位置に必要数取付けることにより、分岐ブレーカ数を変更可能な分電盤を構成している。
【０００９】
なお、図１１に示すように、分電盤の筐体１の下部には必要に応じて増設・削減できる増設用分電盤３０を接続可能とするための接続部１ａが形成されている。すなわち、接続部１ａは分電盤の筐体１の下部より母線バー３を筐体外に延出し、その端部に給電用クリップ５を設けるとともに、後述する増設用分電盤３０の短い母線バー３１の端部が介入できる切込１ｂを備えた絶縁ケース１ｃで覆ったものである。また増設用分電盤３０は、母線バーケース３２の内部に短い母線バー３１を備え、その端部を外部に突出させて前記接続部１ａに差込み可能としたものである。
【００１０】
図２に示すように、分電盤の母線バー３の上面には絶縁カバーを兼ねる取付台７が取付けられており、感電事故を防止している。図１では省略されているが、ブレーカモジュール６が設置されていない下段部分にも、取付台７が取付けられている。取付台７は３相の母線バー３に対応する位置にスリット８を備え、取付台７の上に固定されるブレーカモジュール６と母線バー３との接続ができる構造となっている。
【００１１】
また、図１２、図１３に示すように、増設用分電盤３０内部は、前述した短い母線バー３１を収納した母線バーケース３２の上部に絶縁物からなる取付台３３を備えたものであり、取付台３３は３相の母線バー３１に対応する位置にスリット３３ａを備え、取付台３３の上に固定されるブレーカモジュール６と母線バー３１との接続ができるものとなっている。
【００１２】
次にブレーカモジュール６の構造を説明する。本実施形態におけるブレーカモジュール６は、図３、図４に示すように、プラグインアダプタ９上にブレーカ１０を搭載した構造のものである。図５、図６はプラグインアダプタ９を単体で示す斜視図である。このプラグインアダプタ９は樹脂製の本体部分１１と、３相のリードバー１２を備えている。本体部分１１の上面にはブレーカ１０が４本の取付ねじによって固定される。
【００１３】
各リードバー１２は本体部分１１の下面に設けられており、その下側の先端部にはプラグ接続金具１４が下向きに突設されている。プラグ接続金具１４は図６に示すようなブレード状であり、前述した母線バー３上の給電クリップ５に差し込まれるものである。このため各リードバー１２の長さは各相ごとに異なり、プラグ接続金具１４の位置は３相の母線バー３の位置に対応させてある。各リードバー１２の上端は図５に示すように上方に立ち上がり、ブレーカ１０の電源側の端子部１５に接続されている。なおこの部分にはカバー１６が被せてあるので、感電のおそれはない。
【００１４】
このようなブレーカモジュール６は、分電盤の取付台７上に固定具である固定ねじ１７，１８により固定されている。この実施形態では絶縁カバーを兼ねる取付台７にブレーカモジュール６を取付けたが、絶縁カバーを兼ねる取付台７のない分電盤の場合には母線バー３の外側の取付レールや、その他の部分を取付台７として利用することができる。またブレーカモジュール６は、増設用分電盤３０の取付台３３にも同様に取り付けることができる。
【００１５】
この実施形態では固定ねじは２本であり、固定ねじ１７は電源側のコーナー部に設けられている。しかし他の固定ねじ１８は、図３に示されるようにブレーカ１０の負荷側の端子部１９に接続される電線の下方に位置させてあり、その上部を後述するカバー２０で覆ったものとしている。なお、固定ねじ１８は電線２３の下方に位置させたものであるが、カバー２０が覆う範囲にあればよく、必ずしも電線２３の真下にある必要はない。また、固定具は固定ねじに限定されず、固定するときに操作を必要とするラッチ、ブッシュリベット等の手段であってもよい。
【００１６】
この実施形態では、カバー２０がブレーカモジュール６の負荷側に設けられている。このカバー２０は図７に示すような樹脂製の一体成形品であり、両側の腕部先端の軸２１を中心として回転できるように、プラグインアダプタ９の支持部２２に回動自在に取付けられている。カバー２０は固定ねじ１８の上面を覆い、その取り外しを防止するための部材である。カバー２０は固定ねじ１８の位置が分かりやすいように、透明であることが好ましい。
【００１７】
図８に示されるように、このカバー２０は下側に回転させた状態では、ブレーカ１０の負荷側の端子部１９に電線２３を接続するうえで邪魔にならないサイズである。しかし図９に示すように電線２３を接続したままでは、電線当接部２４が電線２３と干渉して上方に回転できないサイズとなっている。また、図示した電線当接部２４はブレーカ１０の負荷側の端子部１９の数に対応した３つの突起を有していて、負荷側の電線が１本でも接続された状態ではカバー２０を回転することがでないものとしている。このため、ブレーカ１０の負荷側の端子部１９に電線２３を接続した状態では電線２３及びカバー２０が邪魔になって固定ねじ１８を取り外すことができない。従って、電線２３を取り外した状態すなわち非通電状態としなければ、ブレーカモジュール６を取り外すことができず、通電状態のままの取り外しを防止することができる。
【００１８】
固定ねじ１８を取り外すためには、図１０のように電線２３を取り外し、カバー２０を上方に９０度回転させた仮保持位置とすればよい。また、カバー２０をこの図１０のような仮保持位置としておけば、電線２３をブレーカ１０の負荷側の端子部１９に接続することができないから、電線２３を接続する際には必ずカバー２０を下方に回転させねばならず、カバー２０の閉め忘れを防止することができる。
【００１９】
以上に説明したように、本発明のブレーカモジュールの取付構造は、簡単な構造で通電状態のままのブレーカモジュールの取り外しを確実に防止することができる利点がある。なお上記の実施形態ではプラグインアダプタ９上にブレーカ１０を搭載した構造のブレーカモジュール６を用いたが、プラグインアダプタ９を使用せずにブレーカ本体の底面にプラグ接続金具を突設した構造とし、ブレーカ単体でブレーカモジュール６を構成することも可能であることは前述の通りである。
【００２０】
さらに、分電盤の筺体１に固定されるブレーカモジュールは増設用分電盤３０にも固定することができ、部品の共通化を図ることができるものである。なお、前記実施形態ではカバー２０は回動自在に支持されたものであるが、電線が接続されている状態では固定ねじを操作することができず、電線が接続されていない状態では固定ねじを操作することが可能なものであればよく、例えばカバーがプラグインアダプタ９に着脱自在なものとしてもよい。
【図面の簡単な説明】
【００２１】
【図１】実施形態の分電盤の全体斜視図である。
【図２】実施形態の分電盤の部分拡大斜視図である。
【図３】ブレーカモジュールの斜視図である。
【図４】ブレーカモジュールの斜視図である。
【図５】プラグインアダプタの斜視図である。
【図６】プラグインアダプタの斜視図である。
【図７】カバーの斜視図である。
【図８】電線を接続した状態の斜視図である。
【図９】電線を接続したままカバーを回転させようとした状態の斜視図である。
【図１０】電線を外しカバーを上方に回転させた状態の斜視図である。
【図１１】増設用分電盤を分電盤に接続する様子を示す斜視図である。
【図１２】増設用分電盤の内部の様子を示す斜視図である。
【図１３】増設用分電盤の取付台とブレーカモジュールとの関係を示す斜視図である。
【符号の説明】
【００２２】
１  分電盤の筐体
２  主幹ブレーカ
３  母線バー
４  カバー
５  給電クリップ
６  ブレーカモジュール
７  絶縁カバーを兼ねる取付台
８  スリット
９  プラグインアダプタ
１０  ブレーカ
１１  本体部分
１２  リードバー
１４  プラグ接続金具
１５  電源側の端子部
１６  カバー
１７  固定ねじ
１８  固定ねじ
１９  負荷側の端子部
２０  カバー
２１  軸
２２  支持部
２３  電線
２４  電線当接部
３０  増設用分電盤
３１  短い母線バー
３２  母線バーケース
３３  取付台
【図１】
0004807844.tif 000002
【図２】
0004807844.tif 000003
【図３】
0004807844.tif 000004
【図４】
0004807844.tif 000005
【図５】
0004807844.tif 000006
【図６】
0004807844.tif 000007
【図７】
0004807844.tif 000008
【図８】
0004807844.tif 000009
【図９】
0004807844.tif 000010
【図１０】
0004807844.tif 000011
【図１１】
0004807844.tif 000012
【図１２】
0004807844.tif 000013
【図１３】
0004807844.tif 000014